(57)【要約】      （修正有）【課題】頭を枕に載せて眠っている又は休んでいる人の耳又は他の顔面部分に痛みや不快を生じさせることのないように十分に軟質な枕を提供する。【解決手段】枕１００は基本的にゼラチン状エラストマーからなる枕クッション１０２であって、枕クッションを使用する人の頭及び首を支える大きさであり支えるように構成されている。枕クッションは、第１主面１０８、第２主面１１０、及び第１主面と第２主面の間にのびている変形可能な壁部材を備えている。変形可能な壁部材は、枕クッションのクッション性の面へ第１主面に垂直の方向に加えられる圧力が閾値圧力レベルを超過すると座屈するように構成されている。枕カバー１０４が枕クッションを覆っている。【選択図】図２
2020006217.tif 000002
【特許請求の範囲】
【請求項１】
基本的にゼラチン状エラストマーからなる枕クッションであって、当該枕クッションは、当該枕クッションを使用する人の頭及び首を支える大きさであり支えるように構成されており、当該枕クッションは、
第１主面、
第２主面、及び、
前記第１主面と前記第２主面の間にのびている変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成されており、前記変形可能な壁部材は、当該枕クッションのクッション性の面へ前記第１主面に垂直の方向に加えられる圧力が閾値圧力レベルを超過すると座屈するように構成されている、枕クッションと、
前記枕クッションを覆っている枕カバーと、
を備えている枕。
【請求項２】
請求項１に記載の枕において、前記枕クッションは、６ポンド（２．７２ｋｇ）乃至１２ポンド（５．４４ｋｇ）のゼラチン状エラストマーを備えている、枕。
【請求項３】
請求項１に記載の枕において、前記枕は前記枕クッションと前記枕カバーの間に何れの追加のクッション性材料も含んでいない、枕。
【請求項４】
請求項３に記載の枕において、前記枕は前記枕クッション及び前記枕カバーからなっている、枕。
【請求項５】
請求項１から請求項４の何れか一項に記載の枕において、枕クッションは、更に、
略平板状第１部分と、
前記第１部分と連結されている略平板状第２部分と、を更に備え、前記第１部分と前記第２部分のそれぞれは、
第１主面、
反対側の第２主面、及び、
前記第１主面と前記反対側の第２主面の間にのびている前記変形可能な壁部材の部分、を備えており、
前記略平板状第１部分内の前記変形可能な壁部材は、それらの間に画定される前記空隙が第１の平均大きさを有するように位置付けられ構成されており、前記略平板状第２部分内の前記変形可能な壁部材は、それらの間に画定される前記空隙が第２の平均大きさを有するように位置付けられ構成されており、前記第１の平均大きさは前記第２の平均大きさより小さい、枕。
【請求項６】
請求項５に記載の枕において、前記第１部分の前記変形可能な壁部材と前記第２部分の前記変形可能な壁部材は単一統合体の一部である、枕。
【請求項７】
請求項５に記載の枕において、前記第１部分内の前記変形可能な壁部材は、前記枕クッションのクッション性の面へ前記第１主面に垂直の方向に加えられる圧力が第１の閾値圧力レベルを超過すると座屈するように構成されており、前記第２部分内の前記変形可能な壁部材は、前記枕クッションのクッション性の面へ前記第１主面に垂直の方向に加えられる圧力が前記第１の閾値圧力レベルとは異なる第２の閾値圧力レベルを超過すると座屈するように構成されている、枕。
【請求項８】
請求項５に記載の枕において、前記第１部分内の前記変形可能な壁部材はそれらの間に三角形空隙の第１のセットを画定するように位置付けられ構成されており、前記第２部分内の前記変形可能な壁部材はそれらの間に三角形空隙の第２のセットを画定するように位置付けられ構成されている、枕。
【請求項９】
請求項８に記載の枕において、前記三角形空隙の第１のセットのうちの少なくとも幾つかは、前記クッションの前記第１主面に垂直の方向に前記三角形空隙の第２のセットのうちの前記三角形空隙全てと不整列である、枕。
【請求項１０】
請求項５に記載の枕において、前記第１部分は第１の厚さを有し、前記第２部分は前記第１の厚さとは異なる第２の厚さを有している、枕。
【請求項１１】
請求項１から請求項４の何れか一項に記載の枕において、前記変形可能な壁部材はそれらの間に三角形空隙を画定するように位置付けられ構成されている、枕。
【請求項１２】
請求項１から請求項４の何れか一項に記載の枕において、前記枕クッションは、前記クッションの横方向側面にて前記クッションの周辺を周って全体的にのびている前記ゼラチン状エラストマーの帯を更に備えている、枕。
【請求項１３】
請求項１から請求項４の何れか一項に記載の枕であって、前記クッションの中で前記第１主面と前記第２主面の間を前記第１主面と前記第２主面の少なくとも一方に略平行の方向に水平にのびている前記ゼラチン状エラストマーの安定化層、を更に備えている枕。
【請求項１４】
請求項１３に記載の枕において、前記ゼラチン状エラストマーの前記安定化層は前記クッションの周辺領域に配置されていて前記クッションの中心領域には配置されていない、枕。
【請求項１５】
請求項１４に記載の枕であって、前記安定化層の互いに反対側の面の空隙の間に前記安定化層を通る空気の流れを許容するために前記ゼラチン状エラストマーの前記安定化層を貫いてのびている開口、を更に備えている枕。
【請求項１６】
請求項１から請求項４の何れか一項に記載の枕であって、前記クッションの前記第２主面へ融着されている布地を更に備え、前記布地は前記クッションの前記第２主面へ熱融着されている非伸縮性布地を備えている、枕。
【請求項１７】
請求項１から請求項４の何れか一項に記載の枕であって、前記枕の厚さを増加させるために前記クッションの前記第２主面と前記枕カバーの内面の間に配置されているインサート、を更に備えている枕。
【請求項１８】
請求項１７に記載の枕において、前記インサートは、前記枕の厚さを調節するために空気で膨らまされるように及び／又は空気を抜かれるように構成されている膨張式の袋を備えている、枕。
【請求項１９】
請求項１から請求項４の何れか一項に記載の枕において、前記枕カバーは前記枕カバーの一方の主面上に配置されているジッパーを含み、前記ジッパーは全体的に前記枕カバーの前記一方の主面の周辺縁から少なくとも１インチ（２．５４ｃｍ）の距離に位置付けられている、枕。
【請求項２０】
枕を製作する方法であって、前記方法は、
基本的にゼラチン状エラストマーからなる枕クッションを形成する段階であって、当該枕クッションは、当該枕クッションを使用する人の頭及び首を支える大きさであり支えるように構成され、当該枕クッションは、
第１主面、
第２主面、及び、
前記第１主面と前記第２主面の間にのびる変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成され、前記変形可能な壁部材は、当該枕クッションのクッション性の面へ前記第１主面に垂直の方向に加えられる圧力が閾値圧力レベルを超過すると座屈するように構成される、枕クッションを形成する段階と、
前記枕クッションを枕カバーに封入する段階と、
を備えている、方法。
【発明の詳細な説明】
【技術分野】
【０００１】
（優先権の主張）
本願は、２０１６年１０月２５日出願の米国特許出願第１５／３３３，４８６号並びに２０１６年９月２１日出願の米国仮特許出願第６２／３９７，８１８号の出願日の恩典を主張し、それら特許出願の開示をこれによりここにそっくりそのまま参考文献として援用する。
【０００２】
開示の実施形態は、概括的には、枕及び枕を作る方法に関する。より詳しくは、本開示の実施形態は、変形可能な壁部材を有するゼラチン状エラストマークッションを含んでいる枕及びその様な枕を作る方法並びに使用する方法に関する。
【背景技術】
【０００３】
眠っている又は横たわっている間に頭や首を支えるのに枕が使用される。枕は、典型的には、軟質クッション性材料を収容している「枕ケース」と呼称される布製包体からなる。軟質クッション性材料は、典型的には、合成又は天然の繊維材料、ダウン、又は合成発泡体材料を備えている。
【０００４】
本発明の発明者もこれまでにゼラチン状エラストマー材料を含む様々なクッション性材料及びクッションを発明している。例えば、次の特許、即ち、ピアース（Ｐｅａｒｃｅ）への１９９８年５月１２日発行の米国特許第５，７４９，１１１号、ピアースへの２０００年２月２２日発行の米国特許第６，０２６，５２７号、ピアースへの２００２年７月２日発行の米国特許第６，４１３，４５８号、及びピアース他への２０１４年１２月３０日発行の米国特許第８，９１９，７５０号は、様々なゼラチン状エラストマークッションを開示しており、それら特許の開示をこれによりここにそっくりそのまま参考文献として援用する。
【先行技術文献】
【特許文献】
【０００５】
【特許文献１】米国特許出願第１５／３３３，４８６号
【特許文献２】米国仮特許出願第６２／３９７，８１８号
【特許文献３】米国特許第５，７４９，１１１号
【特許文献４】米国特許第６，０２６，５２７号
【特許文献５】米国特許第６，４１３，４５８号
【特許文献６】米国特許第８，９１９，７５０号
【特許文献７】米国特許第５，９９４，４５０号、
【特許文献８】米国特許第７，９６４，６６４号
【特許文献９】米国特許第４，３６９，２８４号
【発明の概要】
【０００６】
幾つかの実施形態では、本開示は、枕クッション及び枕クッションを覆う枕カバーを備えている枕を含む。枕クッションは、基本的に、ゼラチン状エラストマーからなっている。枕クッションは、枕クッションを使用する人の頭及び首を支える大きさであり支えるように構成されている。枕クッションは、第１主面、第２主面、及び第１主面と第２主面の間にのびている変形可能な壁部材、を備えている。変形可能な壁部材は、それらの間に空隙を画定して変形可能な壁部材の変形に際し変形可能な壁部材が隣接する空隙の中へ変位できるように位置付けられ構成されている。変形可能な壁部材は、枕クッションのクッション性の面へ第１主面に垂直の方向に加えられる圧力が閾値圧力レベルを超過すると座屈するように構成されている。
【０００７】
追加の実施形態では、本開示は枕を製作する方法を含む。基本的にゼラチン状エラストマーからなる枕クッションが形成される。枕クッションは、枕クッションを使用する人の頭及び首を支える大きさであり支えるように構成され、第１主面、第２主面、及び第１主面と第２主面の間にのびる変形可能な壁部材、を備える。変形可能な壁部材は、それらの間に空隙を画定して変形可能な壁部材の変形に際し変形可能な壁部材が隣接する空隙の中へ変位できるように位置付けられ構成される。変形可能な壁部材は、枕クッションのクッション性の面へ第１主面に垂直の方向に加えられる圧力が閾値圧力レベルを超過すると座屈するように構成される。枕クッションを形成する段階の後、枕クッションは枕カバー内に封入される。
【０００８】
明細書は、本発明の具現化と見なされるものを明細に指し示し明確に請求する特許請求の範囲で完結するが、開示の実施形態の様々な特徴及び利点は、次に続く例としての実施形態の説明が添付図面と関連付けて閲読されることで、より容易く解明されるであろう。
【図面の簡単な説明】
【０００９】
【図１】本開示の枕の或る実施形態の上から見た斜視図である。
【図２】図１の枕の断面側面図である。
【図３】図１の枕の下から見た斜視図である。
【図４】図１の枕の枕クッションの或る実施形態の斜視図である。
【図５】図４の枕クッションの前から見た側面図である。
【図６】図４の枕クッションの横から見た側面図である。
【図７】図４の枕クッションの上から見た平面図である。
【図８】図４の枕クッションの下から見た平面図である。
【図９】図４の枕クッションの断面側面図である。
【図１０】図１の枕の随意的インサートの或る実施形態の上から見た平面図である。
【図１１】図１の枕の随意的インサートの別の実施形態の側面図である。
【発明を実施するための形態】
【００１０】
ここでの使用に際し、「弾性重合体」（elastomeric polymer）という用語は、変形後にそれの元の大きさ及び形状を回復することのできる重合体を意味し及び含む。他の言い方をすれば、弾性重合体とは、弾性又は粘弾性の性質を有する重合体である。弾性重合体は技術的に「エラストマー」と呼称されることもある。弾性重合体は、限定するわけではないが、単独重合体（繰り返される単一の化学的構成単位を有している重合体）及び共重合体（２つ又はそれ以上の化学的構成単位を有している重合体）を含む。
【００１１】
ここに提示されている描画は、何れかの特定の枕、枕クッション、枕インサート、又は枕カバーの実際の図ではなく、本開示の実施形態を説明するために用いられる理想化された表現にすぎない。図同士の間で共通の要素は同じ符号を保有する。
【００１２】
図１は、本開示の枕１００の或る実施形態を斜視図で示している。図２は枕１００の断面図である。図２に示されている様に、枕１００は枕クッション１０２及び枕クッション１０２を覆っている枕カバー１０４を含んでいる。枕１００は、ここで後ほど更に詳しく論じられている様にインサート１０６を更に含んでいてもよい。他の言い方をすれば、インサート１０６は一部の実施形態では除外されていることもあり、そうすると枕１００は枕クッション１０２と枕カバー１０４からなるわけである。枕１００及び枕クッション１０２は、枕１００を使用する人の頭及び首を支える大きさであり支えるように構成されている。
【００１３】
枕クッション１０２は、基本的に、ゼラチン状エラストマー（技術的に「エラストマーゲル」、「ゼラチン状エラストマー」、もしくは単に「ゲル」とも呼称される）からなっている。幾つかの実施形態では、枕クッション１０２は、９０重量％以上、９５重量％以上、９８重量％以上、又は、更には１００重量％のゼラチン状エラストマーを備えていてもよい。ゼラチン状エラストマーは、弾性重合体又は弾性重合体と可塑剤（及び随意的には、顔料、充填剤、酸化防止剤、などの他の材料）との混合物を含み得る弾性材料である。ゼラチン状エラストマーは弾性である（即ち、変形後に大きさ及び形状を回復できる）。
【００１４】
例えば、枕クッション１０２のゼラチン状エラストマーは、弾性ブロック共重合体と可塑剤の混合物を備えていてもよい。ここでの使用に際し、「弾性ブロック共重合体」という用語は、Ａ−Ｂ型ジブロック共重合体及びＡ−Ｂ−Ａ型トリブロック共重合体の様な一体に結合された単独重合体のグループ又はブロックを有する弾性重合体を意味し及び含む。Ａ−Ｂ型ジブロック共重合体は、単独重合体の２つの相異なるブロックを有している。Ａ−Ｂ−Ａ型トリブロック共重合体は、単一の単独重合体（Ａ）のブロック２つそれぞれを異なる単独重合体（Ｂ）の単一ブロックへ結合させている。ここでの使用に際し、「可塑剤」という用語は、別の材料（例えば弾性重合体）へ当該材料の加工性を高めるために添加される物質を意味し及び含む。例えば、可塑剤は、材料の可撓性、柔軟性、又は伸展性を高めることができる。可塑剤は、限定するわけではないが、鉱油の様な炭化水素流体を含む。炭化水素可塑剤は芳香族又は脂肪族であってもよい。
【００１５】
非限定的な実施例として、枕クッション１０２は、１９９９年１１月３０日発行の「ゼラチン状エラストマー及びゼラチン状エラストマーを作る方法及び利用する方法並びにそれから作られる物品」“Ｇｅｌａｔｉｎｏｕｓ  Ｅｌａｓｔｏｍｅｒ  ａｎｄ  Ｍｅｔｈｏｄｓ  ｏｆ  Ｍａｋｉｎｇ  ａｎｄ  Ｕｓｉｎｇ  ｔｈｅ  Ｓａｍｅ  ａｎｄ  Ａｒｔｉｃｌｅｓ  Ｍａｄｅ  Ｔｈｅｒｅｆｒｏｍ”と題された米国特許第５，９９４，４５０号、２０１１年６月２１日発行の「中央ブロックにＭＷの広範分散を有するゲル」（“Ｇｅｌ  ｗｉｔｈ  Ｗｉｄｅ  Ｄｉｓｔｒｉｂｕｔｉｏｎ  ｏｆ  ＭＷ  ｉｎ  Ｍｉｄ−Ｂｌｏｃｋ”）と題された米国特許第７，９６４，６６４号、及び１９８３年１月１８日発行の「熱可塑性エラストマーゼラチン状組成物」（“Ｔｈｅｒｍｏｐｌａｓｔｉｃ  Ｅｌａｓｔｏｍｅｒ  Ｇｅｌａｔｉｎｏｕｓ  Ｃｏｍｐｏｓｉｔｉｏｎｓ”）と題された米国特許第４，３６９，２８４号に記載のゼラチン状エラストマーを備えていてもよく、それら特許のそれぞれの開示をここにそっくりそのまま参考文献として援用する。
【００１６】
ゼラチン状エラストマーの弾性ブロック重合体は、スチレンエチレンプロピレンスチレン（ＳＥＰＳ）、スチレンエチレンブチレンスチレン（ＳＥＢＳ）、又はスチレンエチレンエチレンプロピレンスチレン（ＳＥＥＰＳ）の様な、Ａ−Ｂ−Ａ型トリブロック共重合体であってもよい。例えば、テキサス州ヒューストンのクラレアメリカ社（Ｋｕｒａｒａｙ  Ａｍｅｒｉｃａ，  Ｉｎｃ．）からＳＥＰＴＯＮ（登録商標）４０５５の商標名で商業的に入手可能なＡ−Ｂ−Ａ型トリブロック共重合体、及びテキサス州ヒューストンのクレイトンポリマー社（Ｋｒａｔｏｎ  Ｐｏｌｙｍｅｒｓ，  ＬＬＣ）からＫＲＡＴＯＮ（登録商標）Ｅ１８３０、ＫＲＡＴＯＮ（登録商標）Ｇ１６５０、及びＫＲＡＴＯＮ（登録商標）Ｇ１６５１の商標名で商業的に入手可能なＡ−Ｂ−Ａ型トリブロック共重合体が、ゼラチン状エラストマー中に採用されてもよい。これらの実施例では「Ａ」ブロックはスチレンである。「Ｂ」ブロックは、ゴム（例えば、ブタジエン、イソプレン、など）、又は、鉱油又は他の炭化水素流体で可塑化させることのできる水素化ゴム（例えば、エチレン／プロピレン又はエチレン／ブチレン又はエチレン／エチレン／プロピレン）とすることができる。ゼラチン状エラストマーは、スチレンベースの共重合体以外の弾性重合体、例えば事実上熱可塑性である非スチレン系弾性重合体、又は可塑剤によって溶媒和され得る非スチレン系弾性重合体、又は多成分熱硬化性エラストマーである非スチレン系弾性重合体などを含み得る。採用され得る他の弾性重合体は、これらの系の合成ゴム重合体の誘導体である重合体、又は、その様な合成ゴム重合体と同様の物理的性質を示す重合体を含む。
【００１７】
ゼラチン状エラストマーは、炭化水素流体の様な１つ又はそれ以上の可塑剤を含んでいてもよい。例えば、弾性材料は、芳香族炭化水素不含食品等級白色パラフィン系鉱油、例えばニュージャージー州マファのソネボーン社（Ｓｏｎｎｅｂｏｒｎ，  Ｉｎｃ．）からＢＬＡＮＤＯＬ（登録商標）及びＣＡＲＮＡＴＩＯＮ（登録商標）の商標名で販売されているものなど、を含んでいてもよい。
【００１８】
１つの特定の非限定的な実施例として、枕クッション１０２のゼラチン状エラストマーは、スチレン−エチレン−エチレン−プロピレン−スチレン（ＳＥＥＰＳ）弾性トリブロック共重合体（例えばＳＥＰＴＯＮ（登録商標）４０５５）１重量部と、７０重量ストレートカット白色パラフィン系鉱油（例えばＣＡＲＮＡＴＩＯＮ（登録商標）白色鉱油）４重量部との溶融配合物に、随意的には顔料、酸化防止剤、及び／又は他の添加物を加えた溶融配合物を含んでいてもよい。
【００１９】
ゼラチン状エラストマーは、１つ又はそれ以上の充填剤（例えば軽量マイクロスフィア）を含んでいてもよい。充填剤は、弾性材料の熱的性質、密度、加工、などに影響を及ぼし得る。例えば、中空マイクロスフィア（例えば、中空ガラスマイクロスフィア又は中空アクリル系マイクロスフィア）は、絶縁体の役目を果たすことによって弾性材料の熱伝導率を下げることができ、というのも、その様な中空マイクロスフィア（例えば、中空ガラスマイクロスフィア又は中空アクリル系マイクロスフィア）は可塑剤又は重合体より低い熱伝導率を有し得るからである。
【００２０】
ゼラチン状エラストマーは、更に酸化防止剤を含んでいてもよい。酸化防止剤は、加工中の熱劣化の影響を低減することができ又は長期安定性を改善することができる。酸化防止剤は、例えば、ニュージャージー州イーゼリンのビーエーエスエフ社（ＢＡＳＦ  Ｃｏｒｐ．）からＩＲＧＡＮＯＸ（登録商標）１０１０として又は台湾台中市のエバースプリングケミカル社（Ｅｖｅｒｓｐｒｉｎｇ  Ｃｈｅｍｉｃａｌ）からＥＶＥＲＮＯＸ（登録商標）１０として商業的に入手可能なペンタエリスリトールテトラキス（３−（３，５−ジ−ｔ−ブチル−４−ヒドロキシフェニル）プロピオネート）、ビーエーエスエフ社（ＢＡＳＦ  Ｃｏｒｐ．）からＩＲＧＡＮＯＸ（登録商標）１０７６として又はエバースプリングケミカル社（Ｅｖｅｒｓｐｒｉｎｇ  Ｃｈｅｍｉｃａｌ）からＥＶＥＲＮＯＸ（登録商標）７６として商業的に入手可能なオクタデシル−３−（３，５−ジ−ｔ−ブチル−４−ヒドロキシフェニル）プロピオネート、ビーエーエスエフ社（ＢＡＳＦ  Ｃｏｒｐ．）からＩＲＧＡＮＯＸ（登録商標）１６８として又はエバースプリングケミカル社（Ｅｖｅｒｓｐｒｉｎｇ  Ｃｈｅｍｉｃａｌ）からＥＶＥＲＦＯＳ（登録商標）１６８として商業的に入手可能なトリス（２，４−ジ−ｔ−ブチルフェニル）ホスファイトを含む。１つ又はそれ以上の酸化防止剤が、ゼラチン状エラストマーの単一調合物中に組み合わされていてもよい。可塑剤と重合体の混合物中の酸化防止剤の使用は、先に参考文献として援用している米国特許第５，９９４，４５０号の第２５段及び第２６段に記載されている。ゼラチン状エラストマーは、５重量％までの酸化防止剤を含むことができる。例えば、ゼラチン状エラストマーは、約０．１０重量％乃至約１．０重量％の酸化防止剤を含んでいてもよい。
【００２１】
幾つかの実施形態では、ゼラチン状エラストマーは、枕クッション１０２に、顧客にアピールする外観を提供するために顔料又は顔料の組合せを含んでいてもよい。１つの非限定的な実施例として、顔料は、紫色又はラベンダー色とされ得る鎮静色を作り出していてもよい。
【００２２】
枕クッション１０２のゼラチン状エラストマーは、変形後にそれの元の形状へ戻るということから弾性であり、また弾性的に引き延ばされたり圧縮されたりすることもできる。ゼラチン状エラストマーは、感触はゴムの様であるが、従来のゴム材料に勝って変形圧力を加える物体の形状へ変形することができ、また従来のゴム材料より低いデュロメーター硬度を有することができる。例えば、ゼラチン状エラストマーは、ショアＡスケールで約０．１乃至約５０の、及び一部の実施形態ては約５未満の、硬度を有することができる。ゼラチン状エラストマーは、頭を枕１００に載せて眠っている又は休んでいる人の耳又は他の顔面部分に痛みや不快を生じさせることのないように十分に軟質である。
【００２３】
ゼラチン状エラストマーは、枕クッション１０２が変形後にそれの元の形状に戻ることができるように、概して非粘着性とすることができる。一部の実施形態では、枕クッション１０２は、ゼラチン状エラストマーを約６ポンド（２．７２ｋｇ）から１２ポンド（５．４４ｋｇ）の間で備えていてもよい。１つの非限定的な実施例として、クッションは、約２４インチ（６０．９６ｃｍ）の長さ、約１６インチ（４０．６４ｃｍ）の幅、及び約３．５インチ（８．８９ｃｍ）の高さ又は厚さを有していてもよい。
【００２４】
図２に示されている様に、枕１００は、枕クッション１０２と枕カバー１０４の間に何れの追加のクッション性材料も含んでいないというのであってもよい。枕カバー１０４は、上側の第１主面１０８及び反対側の下側の第２主面１１０を含んでいる。
【００２５】
図３は、枕カバー１０４の下側の第２主面１１０を描いている枕１００の斜視図である。そこに示されている様に、枕ケース１０４は、枕カバー１０４の下側の第２主面１１０上に配置されているジッパー１１２を含んでいてもよい。ジッパー１１２は、全体的に、枕カバー１０４の下側の第２主面１１０の周辺縁から少なくとも１インチ（２．５４ｃｍ）の距離Ｄに位置付けられていてもよい。例えば、距離Ｄは、約１インチ（２．５４ｃｍ）から約３インチ（７．６２ｃｍ）の間であってもよい。
【００２６】
図３に示されている様に、枕カバー１０４のジッパー１１２は、枕カバー１０４の第１長手方向周辺縁１１４に近接して少なくともその一部分に沿ってのび、枕カバー１０４の第１横方向周辺縁１１６に近接してそれに沿ってのび、枕カバー１０４の第２長手方向周辺縁１１８に近接して少なくともその一部分に沿ってのびていてもよい。ジッパー１１２を枕カバー１０４の複数の辺を周ってのばすことによって、枕クッション１０２及び随意的なインサート１０６を容易に枕カバー１０４の中へ挿入したり枕カバー１０４から取り出したりできるようになる。更に、ジッパー１１２を枕カバー１０４の下側の第２主面１１０の周辺縁からの距離Ｄに位置付けることによって、ジッパー１１２は枕１００を使用している人の身体に隣接して配置される可能性が低くなるのであり、そうでなければ使用者に触知されてしまうだろう。
【００２７】
ジッパー１１２は、図３に示されている様に枕カバー１０４の３つの辺に近接して３つの辺に沿ってのびていてもよいし、又は他の実施形態では、枕カバー１０４の４つの辺に近接して４つの辺に沿ってのびていてもよいし、又は１つの辺と２つの隣接する辺に近接して１つの辺全体と２つの隣接する辺の一部分のみに沿ってのびていてもよい。更に別の実施形態では、ジッパー１１２は１つの辺と１つの隣接する辺に近接して１つの辺全体と１つの隣接する辺の一部分だけに沿ってのびていてもよい。クッション１０２及び随意的なインサート１０６の挿入及び取り出しをやり易くするジッパー１１２の何れかの他の場所及び構成も採用され得る。ジッパー１１２の内側に布地（例えば滑り止め布地）が提供されていてもよい。
【００２８】
他の実施形態では、枕カバー１０４の下側の第２主面１１０の開口を堅く閉じるのにフック・アンド・ループ材料の様な何れかの他の型式の締結具がジッパー１１２の代わりに使用されてもよい。
【００２９】
使用時、枕１００がその上の枕カバー１０４と共に従来のリネンピローケースの中へ挿入されるのは随意である。
【００３０】
枕クッション１０２は図４から図９に描かれている。図４は枕クッション１０２の斜視図である。図４に示されている様に、クッション１０２は、クッション１０２の上側及び下側の面に丸みのある周辺縁を有している。周辺縁の半径は約０．２５インチ（０．６３５ｃｍ）乃至約５．０インチ（１２．７ｃｍ）とすることができる。図５及び図６に示されている様に、枕クッション１０２は、第１主面１２０及び反対側の第２主面１２２を有していて、第１主面１２０と第２主面１２２の間にのびている変形可能な壁部材１２４を含んでいる。第１主面１２０及び第２主面１２２は、変形可能な壁部材１２４の端面によって集合的に画定されている。
【００３１】
変形可能な壁部材１２４は、それらの間に空隙１２６を画定して変形可能な壁部材１２４の変形に際し変形可能な壁部材が隣接する空隙１２６の中へ変位できるように位置付けられ構成されている。また、変形可能な壁部材１２４は、枕クッション１０２のクッション性の面(即ち第１主面１２０)へ第１主面１２０に垂直の方向に加えられる圧力が閾値圧力レベルを超過すると座屈するように構成されている。
【００３２】
図７及び図８の平面図に示されている様に、幾つかの実施形態では、変形可能な壁部材１２４は、それらの間に三角形空隙１２６を画定するように位置付けられ構成されている。他の言い方をすれば、空隙１２６は、第１主面１２０及び第２主面１２２（図５及び図６）に平行な断面方向の平面に断面形状を有し得るということである。柱状空隙１２６の三角形状はクッションの横方向への改善された安定性を提供する。但し、他の実施形態では、空隙１２６は何れかの他の所望形状（例えば、四角形、五角形、六角形、など）を有していてもよい。
【００３３】
ここに説明されている構成では、クッション１０２のゼラチン状エラストマーが変形可能な壁１２４へ形成されていて、壁１２４は共有壁を有する中空柱体を画定しており、それら柱体は局所化された圧力が閾値を超過しない限りは圧力下にばねの様に振舞い、閾値圧力を超過した時点で中空柱体の１つ又はそれ以上は座屈し、周囲の柱体を包含するより広い面積へ荷重を拡散させる。この機構は、強化された快適さを提供し、かといって所望の脊椎整列を保つうえで首及び頭を支えきれないほど軟弱ではなく、また側臥位で眠っている又は休んでいる人の鼻を、枕１００の中へあまりに深く沈み込むことによって息苦しくさせるほど軟弱でもない。
【００３４】
再度図４から図６を参照して、枕クッション１０２は、更に、クッション１０２の横方向側面１３０にてクッション１０２の周辺を周って少なくとも部分的にのびているゼラチン状エラストマーの帯１２８を含んでいてもよい。帯１２８は、クッション１０２と一体に形成されていてもよい。幾つかの実施形態では、帯１２８は、図５及び図６に示されている様にクッション１０２の上主面と下主面の丸みを帯びた周辺縁の間の、クッション１０２の横方向側面１０３の全体を画定していてもよい。ゼラチン状エラストマーの帯１２８は、少なくともクッション１０２の周辺領域にて、クッション１０２の横方向安定性を改善することもできる。帯１２８は、図７及び図８に示されている様に、クッション１０２の外側周辺に配置されている三角形柱体空隙１２６のそれぞれの外壁を備えているか又は画定していてもよい。
【００３５】
図９は、枕クッション１０２の断面側面図である。それに示されている様に、幾つかの実施形態では、枕クッション１０２は、略平板状第１部分１３４及び第１部分１３４へ連結されている略平板状第２部分１３６を備えていてもよい。第１部分１３４と第２部分１３６のそれぞれは、上第１主面及び反対側の下第２主面を有している。第１部分１３４と第２部分１３６のそれぞれは、更に、第１部分１３４の第１主面と反対側の第２主面の間及び第２部分１３６の第１主面と反対側の第２主面の間にそれぞれのびている変形可能な壁部材１２４の部分を含んでいる。第１部分１３４の変形可能な壁部材１２４と第２部分１３６の変形可能な壁部材１２４は、ここでこれまでに説明されている様にゼラチン状エラストマーを備える単一統合体の一部であってもよい。
【００３６】
略平板状第１部分１３４内の変形可能な壁部材１２４は、それらの間に画定される空隙１２６が第１の平均大きさを有するように位置付けられ構成されており、略平板状第２部分１３６内の変形可能な壁部材１２４は、それらの間に画定される空隙１２６が第２の平均大きさを有するように位置付けられ構成されている。一部の実施形態では、第１の平均大きさは第２の平均大きさより小さくてもよい。他の言い方をすれば、第１部分１３４内の空隙１２６は、図９に示されている様に、第１主面１２０に平行な平面内に第２部分１３６内の空隙１２６より小さい断面積を有していてもよいということである。例えば、第１部分１３４内の空隙１２６は、第１主面１２０に平行な平面に約０．１５平方インチ（０．３８１平方センチメートル）から約２．０平方インチ（５．０８平方センチメートル）の間の断面積を有していてもよく、第２部分１３６内の空隙１２６は、第１主面１２０に平行な平面に第１部分１３４内の空隙１２６の断面積の約２倍から約６倍の間の断面積を有していてもよい。１つの特定の非限定的な実施形態として、第１部分１３４内の空隙１２６は、第１主面１２０に平行な平面に０．２０平方インチ（０．５０８平方センチメートル）の断面積を有し、第２部分１３６内の空隙１２６は第１主面１２０に平行な平面に０．８平方インチ（２．０３２平方センチメートル）の断面積を有していてもよい。
【００３７】
幾つかの実施形態では、第１部分１３４は、第２部分１３６内に存在する空隙１２６の２倍乃至６倍（例えば４倍）の数の空隙１２６を含んでいてもよい。また、第１部分１３４内の変形可能な壁部材１２４は、第２部分１３６内の変形可能な壁部材１２４より薄くてもよい。限定するわけではなく一例として、第１部分１３４内の変形可能な壁部材１２４は、第２部分１３６内の変形可能な壁部材１２４の厚さの約２５％から約７５％の間（例えば約５０％）の厚さを有していてもよい。
【００３８】
第１部分１３４は、第１の平均厚さ（第１主面１２０に垂直の方向）を有し、第２部分１３６は第１の平均厚さとは異なる第２の平均厚さを有していてもよい。例えば、第１部分１３４は、図９に示されている様に、第１主面１２０に垂直の方向に、第２部分１３６より薄くなっていてもよい。したがって、第１部分１３４内の空隙１２６は第１主面１２０に垂直方向の寸法が第２部分１３６内の空隙１２６より短くてもよいということである。
【００３９】
また、第１部分１３４内の変形可能な壁部材１２４は、枕クッション１０２のクッション性の面（即ち第１主面１２０）へ第１主面１２０に垂直の方向に加えられる圧力が第１の閾値圧力レベルを超過すると座屈するように構成され、第２部分１３６内の変形可能な壁部材１２４は、枕クッション１０２のクッション性の面へ第１主面１２０に垂直の方向に加えられる圧力が、第１の閾値圧力レベルとは異なる２の閾値圧力レベルを超過すると座屈するように構成されていてもよい。その様な構成では、クッション１０２は二段座屈特性を呈することになる。
【００４０】
追加の実施形態では、変形可能な壁部材１２４及び空隙１２６によって画定される３層以上の座屈性柱体が採用されてもよく、閾値座屈圧力レベルは、クッション１０２に多段（例えば３段又はそれ以上の段）の座屈特性を呈するようにさせるために各層の間で異なっていてもよい。
【００４１】
更に別の実施形態では、クッション１０２は、第１主面１２０と第２主面１２２の間を連続してのびている変形可能な壁部材１２４及び空隙１２６によって画定される座屈性柱体の単一層を備えていてもよく、そうするとクッション１０２は単段座屈特性を呈することになる。
【００４２】
図７に示されている様に、第１部分１３４内の変形可能な壁部材１２６（図９）は、それらの間に三角形空隙１２６の第１のセットを画定するように位置付けられ構成されている。図８に示されている様に、第２部分１３４内の変化可能な壁部材１２６（図９）もまた、それらの間に三角形空隙１２６の第２のセットを画定するように位置付けられ構成されていてもよい。第１部分１３４内の三角形空隙１２６の第１のセットのうちの少なくとも幾つかは、クッション１０２の第１主面１２０に垂直の方向に、第２部分１３６内の三角形空隙１２６の第２のセットと不整列であってもよい。他の言い方をすれば、第１部分１３４内の空隙１２６の少なくとも幾つかの中心軸は第２部分１３６内の空隙１２６の各個の中心軸と同一直線上になくてもよいということである。但し、一部の実施形態では、第１部分１３４内の空隙１２６の幾つかは第２部分１３６の空隙１２６と整列していてもよい。
【００４３】
図７、図８、及び図９に示されている様に、クッション１０２は幾つかの実施形態では安定化層１４０を含んでいてもよい。安定化層１４０は、クッション１０２の中で水平方向にのびていて第１主面１２０と第２主面１２２の間にクッション１０２の第１主面１２０と第２主面１２２の少なくとも一方に略平行の方向に位置付けられているゼラチン状エラストマーの一体部分を備えていてもよい。ゼラチン状エラストマーの安定化層１４０は、クッション１０２の周辺領域１４２（図７及び図９）に配置されていてクッション１０２の中心領域には配置されていないというのであってもよい。クッション１０２は、成形プロセスを用いて製作されてもよく、安定化層１４０は、第１部分１３４と第２部分１３６の間の接面にあたる金型分割線に形成させることができる。例えば、第１部分１３４及び第２部分１３６は、ゼラチン状エラストマーを金型（例えば２つの金型半部を有する二部構成金型）のキャビティ内に成形してゼラチン状エラストマーの単一統合体を形成させることによって形成されてもよい。
【００４４】
安定化層１４０は、枕１００を使用する人の首を支えるクッション１０２の周辺領域１４２を、使用者の頭を支えるクッション１０２の中心領域よりも相対的に堅く又は剛性に（且つ支持力のあるものに）することができる。これは整形外科的付形効果を有しており、未変形の枕を、首及び頭の下の三次元輪郭を有する形に整えなくてもよくなる。また、安定化層１４０はクッション１０２の周辺周りの側面荷重剛性を増加させ、枕１００がそれの未変形形状を保つのを又は変形後にそれの未変形形状へ復帰するのを支援する。
【００４５】
追加の実施形態では、安定化層１４０はクッション１０２の周辺領域１４２及び中心領域を通ってクッション１０２の全面積を連続的に横断してのびていてもよい。
【００４６】
安定化層１４０の互いに反対側の面の空隙１２６同士の間に安定化層１４０を通る空気の流れを許容するために、図７及び図８に示されている様に、ゼラチン状エラストマーの安定化層１４０を貫いて開口１４４がのびていてもよい。開口１４０はクッションの通気性を増強する。
【００４７】
幾つかの実施形態では、枕１００の枕クッション１０２は発泡体及び／又は繊維クッション性材料不含であってもよい。
【００４８】
幾つかの実施形態では、クッション１０２の横方向安定性を改善し、枕１００がそれの未変形形状を保とうとする又は変形後にそれの未変形形状へ復帰しようとすることを確約するために、非クッション性布地がクッション１０２の第２主面１２２へ融着されていてもよい。布地は、クッション１２０の第２主面１２２へ熱融着される非伸縮性布地を備えていてもよい。非伸縮性織布を採用することができるが、不織布、伸び易い布地、又は殆ど若しくは全く収縮性のない織布を含め、何れの生地が使用されてもよい。
【００４９】
先に言及されている様に、クッション１０２と枕カバー１０４の間には追加のクッション性材料が無くてもよい。枕カバー１０４は、例えば、約４００グラム／ｍ２の重量に少量の（例えば１／８インチ（３．１７５ｍｍ）厚さ）のバルキー性のある伸縮性メリヤス材料を備えていてもよい。その様な材料は、クッション１０２の変形可能な壁部材１２４の使用者の耳又は顔への感触を和らげるのに十分であるので、枕１００は使用者の顔、耳、及び／又は頭にとって滑らかな感じがする。枕カバー１０４は、使用者が変形可能な壁部材１２４及び空隙１２６を使用者の顔、耳、又は頭に感じる感触又は感じ易さを実質的に排除するのに十分な量感、重量、及び／又はバルキー性のある何れの布地、布積層品、多層メリヤス生地、又はスペーサーファブリックを備えていてもよい。また、枕カバー１０４は、枕クッション１０２の軟質圧力再分配座屈性中空柱体に干渉しないように伸縮性布地を備えていてもよい。幾つかの実施形態では、枕クッション１０２の軟質ゲル柱状材料と使用者の頭又は顔の間には枕カバー１０４しか存在せず、他の中間材料は何も存在しないというのであってもよい。とはいえ、一部の実施形態では、枕カバー１０４を洗濯するために枕カバー１０４からクッション１０２のゼラチン状材料が取り出されたときに汚れてしまうのを回避するために、クッション１０２のための薄い伸び易い内カバーを存在させることもできる。但し、その様な材料はクッション１０２の座屈性中空柱体の感触を和らげることを意図した厚さを有していなくてもよい。
【００５０】
図２の断面図及び図１０の平面図には随意的なインサート１０６が示されている。それらに示されている様に、インサート１０６は、枕１００の厚さを増加させるために、クッション１０２の第２主面１２２と枕カバー１０４の内面の間に配置されることができる。インサート１０６は何れの材料を備えていてもよい。図２及び図１０の実施形態では、インサート１０６は、インサート１０６の厚さひいては枕１００の厚さを調節するために空気で膨らまされるように及び／又は空気を抜かれるように構成されている膨張式の袋を備えている。
【００５１】
枕クッション１０２は特定の高さ（又は厚さ）に成形されていて、使用者は異なった高さを好むこともあるので、随意的なインサート１０６は枕１００の全体高さを増加させるために使用されることができる。膨張式空気袋なら、口膨張式空気弁１５１（図１０）を通してより多くの空気又はより少ない空気を送り込むことによって多様な高さに調節できる。代わりに、手作動式又は電気ポンプ作動式の弁が採用されてもよい。２層のプラスチックを（例えば、高周波溶接又は熱溶接を用いて）一体に溶接することによって作られた単純な袋が使用されてもよい。例えば、上のプラスチック層と下のプラスチック層が側面ガセットプラスチック片によって接合されてもよい。幾つかの実施形態では、上の層を下の層より僅かに大きくすることができ、そうすると結果的にガセットは垂直にはならず、枕を使用している人及び側臥位になって休んでいる人の肩により馴染み易くなる。プラスチックを変形させた際に発生するノイズを静めるために、またインサート１０６をその場に固定するべく枕カバー１０４又はクッション１０２に抗う摩擦を提供するために、プラスチックをフロッキングファイバーへ積層するか若しくはフロッキングファイバー又は布地で被覆することもできる。１つの非限定的な実施例として、フロック加工されたポリ塩化ビニル（ＰＶＣ）フィルムが採用されてもよい。
【００５２】
図１０に示されている様に、インサート１０６は、インサート１０６のクッション１０２（図２）に隣接する第１面とインサート１０６の枕カバー１０４（図２）に隣接する反対側の第２面の間を貫通してのびている開口１５０（同じく図２参照）を有していてもよい。例えば、空気袋のプラスチックは、インサート１０６を通る空気の流れを許容するために溶接された孔を空気袋の内部領域に含んでいてもよい。インサート１０６は、枕カバー１０４へ及び／又はクッション１０２へ（例えばクッションへ熱融着されている布地へ）、例えばフック・アンド・ループ材料１５２を使用して付着可能になっていてもよい。他の実施形態では、インサート１０６を枕カバー１０４及び／又はクッション１０２へ固定するのにスナップ、ボタン、などが使用されてもよい。他の実施形態では、インサート１０６は、枕カバー１０４によって、クッション１０２に当ててその場に保持されているだけであり、それ以外のやり方でクッション１０２又は枕カバー１０４へ付着されてはいない。
【００５３】
膨張式インサート１０６は、特に空気袋が一部しか満たされていないときに枕のクッション効果を増強することができる。その様な場合は、インサート１０６の変形可能性が、全体のクッション効果へのもう１つの運動の自由度を追加することになる。インサート１０６は、空気が空であれば高さ又はクッション性への効果を有さず、枕カバー１０４の中に放置されるなり取り出されるなりされてもよい。空気袋が気密点まで満たされれば、枕１００の厚さは最大化されるが、インサート１０６は枕１００のクッション効果には殆ど寄与しない。インサート１０６の空気袋が約４分の１から４分の３だけ空気で満たされているとき、インサート１０６は枕１００のクッション効果に有意に寄与することができる。
【００５４】
図１１は、インサートの別の実施形態１０６Ａを描いている。インサート１０６Ａは、発泡体の本体を備えているだけである。インサート１０６Ａは、インサート１０６Ａの枕カバー１０４（図２）に隣接する面１５６の長さより大きい長さをインサート１０６Ａのクッション１０２（図２）に隣接するる面１５４に有しており、インサート１０６Ａの枕カバー１０４に隣接する面１５６の幅より大きい幅をインサート１０６Ａのクッション１０６に隣接する面１５４に有している。
【００５５】
追加の実施形態では、インサート１０６Ａは、複数の発泡体層、例えば０．７５インチ（１．９０５ｃｍ）厚さの発泡体７枚を備えていてもよく、そうすると、使用者はカバー１０４内のクッション１０２の下に１層又はそれ以上の発泡体の層を詰めて所望の厚さの枕１００を構成することができる。
【００５６】
更に別の実施形態では、不織ポリエステル毛羽繊維、キルト布地、又は三次元メリヤス布地（「スペーサーファブリック」と呼称されることが多い）が随意的インサートとして又は随意インサート中に採用されることができる。
【００５７】
ここに説明されている枕１００は、クッション１０２の中空座屈性柱体のおかげで通気性に優れ、汗の蓄積を低減し又は排除することができる。枕１００は温度的に中立であり触っても熱くも冷たくもない。また、枕１００は、フルフェース型ＣＰＡＰマスク（持続的陽圧呼吸マスク）を着用して側臥位で眠る人にとって、ＣＰＡＰマスクとの接触を回避するための枕１００の形体（ＣＰＡＰマスク着用での使用向けの枕で古典的に使用されているような側方切欠又は凹み）を作ることなく使用可能である。
【００５８】
羽毛、細断発泡体又は細切り発泡体、種子殻、などの様な粒状クッション性媒体を採用している伝統的な枕とは違って、ここに説明されている枕１００は使用中に時間を経ても形状を失うことはない。形状の喪失は、形状記憶発泡体枕の様な非細切り／細断枕に関しても問題になっており、というのも、身体が発泡体を温めるにつれ発泡体の剛性が変化し発泡体は支持力と形状を失ってゆくからである。ここに説明されている枕１００は、同じ形状及び支持力を一晩中維持することができ、夜間中にも次の夜の使用前にも調節（例えば、ふわっと膨らませる）が不要である。
【００５９】
開示の追加の非限定的な例としての実施形態を以下に記載する。
【００６０】
実施例１
基本的にゼラチン状エラストマーからなる枕クッションであって、枕クッションは、枕クッションを使用する人の頭及び首を支える大きさであり支えるように構成されており、枕クッションは、第１主面、第２主面、及び第１主面と第２主面の間にのびている変形可能な壁部材、を備え、変形可能な壁部材は、それらの間に空隙を画定して変形可能な壁部材の変形に際し変形可能な壁部材が隣接する空隙の中へ変位できるように位置付けられ構成されており、変形可能な壁部材は、枕クッションのクッション性の面へ第１主面に垂直の方向に加えられる圧力が閾値圧力レベルを超過すると座屈するように構成されている、枕クッションと、枕クッションを覆っている枕カバーと、を備えている枕。
【００６１】
実施例２
実施例１の枕において、枕クッションは、６ポンド（２．７２ｋｇ）乃至１２ポンド（５．４４ｋｇ）のゼラチン状エラストマーを備えている、枕。
【００６２】
実施例３
実施例１の枕において、枕は枕クッションと枕カバーの間に何れの追加のクッション性材料も含んでいない、枕。
【００６３】
実施例４
実施例３の枕において、枕は枕クッション及び枕カバーからなっている、枕。
【００６４】
実施例５
実施例１の枕において、枕クッションは、略平板状第１部分及び第１部分と連結されている略平板状第２部分を更に備え、第１部分と第２部分のそれぞれは、第１主面、反対側の第２主面、及び第１主面と反対側の第２主面の間にのびている変形可能な壁部材の部分を備え、略平板状第１部分内の変形可能な壁部材は、それらの間に画定される空隙が第１の平均大きさを有するように位置付けられ構成されており、略平板状第２部分内の変形可能な壁部材は、それらの間に画定される空隙が第２の平均大きさを有するように位置付けられ構成されており、第１の平均大きさは第２の平均大きさより小さい、枕。
【００６５】
実施例６
実施例５の枕において、第１部分の変形可能な壁部材と第２部分の変形可能な壁部材は単一統合体の一部である、枕。
【００６６】
実施例７
実施例５の枕において、第１部分内の変形可能な壁部材は、枕クッションのクッション性の面へ第１主面に垂直の方向に加えられる圧力が第１の閾値圧力レベルを超過すると座屈するように構成されており、第２部分内の変形可能な壁部材は、枕クッションのクッション性の面へ第１主面に垂直の方向に加えられる圧力が第１の閾値圧力レベルとは異なる第２の閾値圧力レベルを超過すると座屈するように構成されている、枕。
【００６７】
実施例８
実施例５の枕において、第１部分内の変形可能な壁部材はそれらの間に三角形空隙の第１のセットを画定するように位置付けられ構成されており、第２部分内の変形可能な壁部材はそれらの間に三角形空隙の第２のセットを画定するように位置付けられ構成されている、枕。
【００６８】
実施例９
実施例８の枕において、三角形空隙の第１のセットのうちの少なくとも幾つかは、クッションの第１主面に垂直の方向に三角形空隙の第２のセットのうちの三角形空隙全てと不整列である、枕。
【００６９】
実施例１０
実施例５の枕において、第１部分は第１の厚さを有し、第２部分は第１の厚さとは異なる第２の厚さを有している、枕。
【００７０】
実施例１１
実施例１の枕において、変形可能な壁部材はそれらの間に三角形空隙を画定するように位置付けられ構成されている、枕。
【００７１】
実施例１２
実施例１の枕において、枕クッションは、クッションの横方向側面にてクッションの周辺を周って全体的にのびているゼラチン状エラストマーの帯を更に備えている、枕。
【００７２】
実施例１３
実施例１の枕であって、クッションの中で第１主面と第２主面の間を第１主面と第２主面の少なくとも一方に略平行の方向に水平にのびているゼラチン状エラストマーの安定化層、を更に備えている枕。
【００７３】
実施例１４
実施例１３の枕において、ゼラチン状エラストマーの安定化層はクッションの周辺領域に配置されていてクッションの中心領域には配置されていない、枕。
【００７４】
実施例１５
実施例１４の枕であって、安定化層の互いに反対側の面の空隙の間に安定化層を通る空気の流れを許容するためにゼラチン状エラストマーの安定化層を貫いてのびている開口、を更に備えている枕。
【００７５】
実施例１６
実施例１の枕であって、クッションの第２主面へ融着されている布地、を更に備えている枕。
【００７６】
実施例１７
実施例１６の枕において、布地はクッションの第２主面へ熱融着されている非伸縮性布地を備えている、枕。
【００７７】
実施例１８
実施例１の枕であって、枕の厚さを増加させるためにクッションの第２主面と枕カバーの内面の間に配置されているインサート、を更に備えている枕。
【００７８】
実施例１９
実施例１８の枕において、インサートは、枕の厚さを調節するために空気で膨らまされるように及び／又は空気を抜かれるように構成されている膨張式の袋を備えている、枕。
【００７９】
実施例２０
実施例１８の枕において、インサートは、インサートの枕カバーに隣接する面の長さより大きい長さをインサートのクッションに隣接する面に有しており、インサートの枕カバーに隣接する面の幅より大きい幅をインサートのクッションに隣接する面に有している、枕。
【００８０】
実施例２１
実施例１８の枕において、インサートは、インサートのクッションに隣接する第１面とインサートの枕カバーに隣接する反対側の第２面の間に貫通してのびている開口を更に備えている、枕。
【００８１】
実施例２２
実施例１の枕において、枕ケースは枕ケースの一方の主面上に配置されているジッパーを含み、ジッパーは全体的に枕ケースの一方の主面の周辺縁から少なくとも１インチ（２．５４ｃｍ）の距離に位置付けられている、枕。
【００８２】
実施例２３
実施例２２の枕であって、枕ケースのジッパーは、枕ケースの第１の長手方向周辺縁に近接して少なくともその一部分に沿ってのび、枕ケースの第１の横方向周辺縁に近接して少なくともそれに沿ってのび、枕ケースの第２の長手方向周辺縁に近接して少なくともその一部分に沿ってのびている、枕。
【００８３】
実施例２４
枕を製作する方法であって、方法は、基本的にゼラチン状エラストマーからなる枕クッションを形成する段階であって、枕クッションは、枕クッションを使用する人の頭及び首を支える大きさであり支えるように構成され、枕クッションは、第１主面、第２主面、及び第１主面と第２主面の間にのびる変形可能な壁部材、を備え、変形可能な壁部材は、それらの間に空隙を画定して変形可能な壁部材の変形に際し変形可能な壁部材が隣接する空隙の中へ変位できるように位置付けられ構成され、変形可能な壁部材は、枕クッションのクッション性の面へ第１主面に垂直の方向に加えられる圧力が閾値圧力レベルを超過すると座屈するように構成される、枕クッションを形成する段階と、枕クッションを枕カバーに封入する段階と、を備えている、方法。
【００８４】
実施例２５
実施例２４の方法において、枕クッションを形成する段階は枕クッションを成形する段階を備えている、方法。
【００８５】
実施例２６
実施例２４の方法であって、第１部分の変形可能な壁部材及び第２部分の変形可能な壁部材を単一統合体の一部となるように形成する段階、を更に備えている方法。
【００８６】
実施例２７
実施例２４の方法において、枕クッションを枕カバーに封入する段階は、枕クッションと枕カバーの間に何れの追加のクッション性材料を含むことなく枕クッションを枕カバーに封入する段階を備えている、方法。
【００８７】
実施例２８
実施例２４の方法において、枕クッションを形成する段階は、略平板状第１部分及び第１部分と連結される略平板状第２部分を備えるように枕クッションを形成する段階であって、第１部分と第２部分のそれぞれは、第１主面、反対側の第２主面、及び第１主面と反対側の第２主面の間にのびる変形可能な壁部材、を備え、略平板状第１部分内の変形可能な壁部材は、それらの間に画定される空隙が第１の平均大きさを有するように位置付けられ構成され、略平板状第２部分内の変形可能な壁部材は、それらの間に画定される空隙が第２の平均大きさを有するように位置付けられ構成され、第１の平均大きさは第２の平均大きさより小さい、略平板状第１部分及び略平板状第２部分を備えるように枕クッションを形成する段階を更に備えている、方法。
【００８８】
実施例２９
実施例２８の方法において、枕クッションを形成する段階は、第１部分の変形可能な壁部材及び第２部分の変形可能な壁部材を備える単一統合体を形成する段階を更に備えている、方法。
【００８９】
実施例３０
実施例２８の方法において、枕クッションを形成する段階は、第１部分内の変形可能な壁部材を、枕クッションのクッション性の面へ第１主面に垂直の方向に加えられる圧力が第１の閾値圧力レベルを超過すると座屈するように構成する段階と、第２部分内の変形可能な壁部材を、枕クッションのクッション性の面へ第１主面に垂直の方向に加えられる圧力が第１の閾値圧力レベルとは異なる第２の閾値圧力レベルを超過すると座屈するように構成する段階と、を更に備えている、方法。
【００９０】
実施例３１
実施例２８の方法であって、第１部分内の変形可能な壁部材を、それらの間に三角形空隙の第１のセットを画定するように位置付け構成する段階と、第２部分内の変形可能な壁部材を、それらの間に三角形空隙の第２のセットを画定するように位置付け構成する段階と、を更に備えている方法。
【００９１】
実施例３２
実施例３１の方法であって、三角形空隙の第１のセットをクッションの第１主面に垂直の方向に三角形空隙の第２のセットと不整列させる段階、を更に備えている方法。
【００９２】
実施例３３
実施例２８の方法において、枕クッションを形成する段階は、第１部分を第１の厚さを有するように形成する段階と、第２部分を第１の厚さとは異なる第２の厚さを有するように形成する段階と、を更に備えている方法。
【００９３】
実施例３４
実施例２４の方法において、枕クッションを形成する段階は、変形可能な壁部材をそれらの間に三角形空隙を画定するように位置付け構成する段階を更に備えている、方法。
【００９４】
実施例３５
実施例２４の方法において、枕クッションを形成する段階は、クッションの横方向側面にてクッションの周辺を周って全体的にのびるゼラチン状エラストマーの帯を形成する段階を更に備えている、方法。
【００９５】
実施例３６
実施例２４の方法において、枕クッションを形成する段階は、クッションの中で第１主面と第２主面の間を第１主面と第２主面の少なくとも一方に略平行の方向に水平にのびるゼラチン状エラストマーの安定化層を形成する段階を更に備えている、方法。
【００９６】
実施例３７
実施例３６の方法において、枕クッションを形成する段階は、ゼラチン状エラストマーの安定化層をクッションの周辺領域に配置し、クッションの中心領域には配置しない段階を更に備えている、方法。
【００９７】
実施例３８
実施例３７の方法において、枕クッションを形成する段階は、安定化層の互いに反対側の面の空隙の間に安定化層を通る空気の流れを許容するためにゼラチン状エラストマーの安定化層を貫いてのびる開口を形成する段階を更に備えている、方法。
【００９８】
実施例３９
実施例２４の方法であって、クッションの第２主面へ布地を融着する段階、を更に備えている方法。
【００９９】
実施例４０
実施例３９の方法であって、非伸縮性布地を備えるように布地を選択する段階と、非伸縮性布地をクッションの第２主面へ熱融着する段階と、を更に備えている方法。
【０１００】
実施例４１
実施例２４の方法であって、枕の厚さを増加させるためにクッションの第２主面と枕カバーの内面の間にインサートを配置する段階、を更に備えている方法。
【０１０１】
実施例４２
実施例４１の方法であって、枕の厚さを調節するために空気で膨らまされるように及び／又は空気を抜かれるように構成されている膨張式の袋を備えるようにインサートを選択する段階、を更に備えている方法。
【０１０２】
実施例４３
実施例４１の方法において、インサートは、インサートの枕カバーに隣接する面の長さより大きい長さをインサートのクッションに隣接する面に有し、インサートの枕カバーに隣接する面の幅より大きい幅をインサートのクッションに隣接する面に有する、方法。
【０１０３】
実施例４４
実施例４１の方法において、インサートは、インサートのクッションに隣接する第１面とインサートの枕カバーに隣接する反対側の第２面の間に貫通してのびる開口を更に備える、方法。
【０１０４】
実施例４５
実施例２４の方法において、枕ケースは枕ケースの一方の主面上に配置されるジッパーを含み、ジッパーは全体的に枕ケースの一方の主面の周辺縁から少なくとも１インチ（２．５４ｃｍ）の距離に位置付けられる、方法。
【０１０５】
実施例４６
実施例４５の方法において、枕ケースのジッパーは、枕ケースの第１の長手方向周辺縁に近接して少なくともその一部分に沿ってのび、枕ケースの第１の横方向周辺縁に近接してそれに沿ってのび、枕ケースの第２の長手方向周辺縁に近接して少なくともその一部分に沿ってのびる、方法。
【０１０６】
開示の実施形態は様々な修正及び代替形態の余地がある。開示の実施形態の例示となる実例を提供するために具体的な実施形態を図面に示し、ここに詳細に説明してきた。但し、開示はここに開示されている特定の形態に限定されない。むしろ、開示の実施形態は、ここに広く定義されている開示の範囲内に入る全ての修正物、等価物、及び代替物を含み得る。また、ここに幾つかの実施形態と関連して説明されている要素及び特徴は、開示の他の実施形態に実施されてもよいし、開示の更に別の実施形態を提供するべくここに他の実施形態に関連して説明されている要素及び特徴と組み合わされてもよい。
【符号の説明】
【０１０７】
１００  枕
１０２  枕クッション
１０４  枕カバー、枕ケース
１０６、１０６Ａ  インサート
１０８  第１主面
１１０  第２主面
１１２  ジッパー
１１４  第１長手方向周辺縁
１１６  第１横方向周辺縁
１１８  第２長手方向周辺縁
１２０  第１主面
１２２  第２主面
１２４  変形可能な壁部材
１２６  空隙
１２８  ゼラチン状エラストマーの帯
１３０  横方向側面
１３４  略平板状第１部分
１３６  略平板状第２部分
１４０  安定化層
１４２  周辺領域
１４４  開口
１５０  開口
１５１  口膨張式空気弁
１５２  フック・アンド・ループ材料
１５４  クッションに隣接する面
１５６  枕カバーに隣接する面
Ｄ  周辺縁からの距離
【図１】
2020006217.tif 000003
【図２】
2020006217.tif 000004
【図３】
2020006217.tif 000005
【図４】
2020006217.tif 000006
【図５】
2020006217.tif 000007
【図６】
2020006217.tif 000008
【図７】
2020006217.tif 000009
【図８】
2020006217.tif 000010
【図９】
2020006217.tif 000011
【図１０】
2020006217.tif 000012
【図１１】
2020006217.tif 000013
【手続補正書】
【提出日】令和1年9月14日(2019.9.14)
【手続補正１】
【補正対象書類名】特許請求の範囲
【補正対象項目名】全文
【補正方法】変更
【補正の内容】
【特許請求の範囲】
【請求項１】
基本的にゼラチン状エラストマーからなる枕クッションであって、当該枕クッションは、当該枕クッションを使用する人の頭及び首を支える大きさであり支えるように構成されており、当該枕クッションは、
第１主面、
第２主面、及び、
前記第１主面と前記第２主面の間にのびている変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成されており、前記変形可能な壁部材は、当該枕クッションのクッション性の面へ前記第１主面に垂直の方向に加えられる圧力が閾値圧力レベルを超過すると座屈するように構成されている、枕クッションと、
前記枕クッションを覆っている枕カバーと、
を備えている枕。
【請求項２】
請求項１に記載の枕において、前記枕クッションは、６ポンド（２．７２ｋｇ）乃至１２ポンド（５．４４ｋｇ）のゼラチン状エラストマーを備えている、枕。
【請求項３】
請求項１に記載の枕において、前記枕は前記枕クッションと前記枕カバーの間に何れの追加のクッション性材料も含んでいない、枕。
【請求項４】
請求項３に記載の枕において、前記枕は前記枕クッション及び前記枕カバーからなっている、枕。
【請求項５】
請求項１から請求項４の何れか一項に記載の枕において、枕クッションは、更に、
略平板状第１部分と、
前記第１部分と連結されている略平板状第２部分と、を更に備え、前記第１部分と前記第２部分のそれぞれは、
第１主面、
反対側の第２主面、及び、
前記第１主面と前記反対側の第２主面の間にのびている前記変形可能な壁部材の部分、を備えており、
前記略平板状第１部分内の前記変形可能な壁部材は、それらの間に画定される前記空隙が第１の平均大きさを有するように位置付けられ構成されており、前記略平板状第２部分内の前記変形可能な壁部材は、それらの間に画定される前記空隙が第２の平均大きさを有するように位置付けられ構成されており、前記第１の平均大きさは前記第２の平均大きさより小さい、枕。
【請求項６】
請求項５に記載の枕において、前記第１部分の前記変形可能な壁部材と前記第２部分の前記変形可能な壁部材は単一統合体の一部である、枕。
【請求項７】
請求項５に記載の枕において、前記第１部分内の前記変形可能な壁部材は、前記枕クッションのクッション性の面へ前記第１主面に垂直の方向に加えられる圧力が第１の閾値圧力レベルを超過すると座屈するように構成されており、前記第２部分内の前記変形可能な壁部材は、前記枕クッションのクッション性の面へ前記第１主面に垂直の方向に加えられる圧力が前記第１の閾値圧力レベルとは異なる第２の閾値圧力レベルを超過すると座屈するように構成されている、枕。
【請求項８】
請求項５に記載の枕において、前記第１部分内の前記変形可能な壁部材はそれらの間に三角形空隙の第１のセットを画定するように位置付けられ構成されており、前記第２部分内の前記変形可能な壁部材はそれらの間に三角形空隙の第２のセットを画定するように位置付けられ構成されている、枕。
【請求項９】
請求項８に記載の枕において、前記三角形空隙の第１のセットのうちの少なくとも幾つかは、前記クッションの前記第１主面に垂直の方向に前記三角形空隙の第２のセットのうちの前記三角形空隙全てと不整列である、枕。
【請求項１０】
請求項５に記載の枕において、前記第１部分は第１の厚さを有し、前記第２部分は前記第１の厚さとは異なる第２の厚さを有している、枕。
【請求項１１】
請求項１から請求項４の何れか一項に記載の枕において、前記変形可能な壁部材はそれらの間に三角形空隙を画定するように位置付けられ構成されている、枕。
【請求項１２】
請求項１から請求項４の何れか一項に記載の枕において、前記枕クッションは、前記クッションの横方向側面にて前記クッションの周辺を周って全体的にのびている前記ゼラチン状エラストマーの帯を更に備えている、枕。
【請求項１３】
請求項１から請求項４の何れか一項に記載の枕であって、前記クッションの中で前記第１主面と前記第２主面の間を前記第１主面と前記第２主面の少なくとも一方に略平行の方向に水平にのびている前記ゼラチン状エラストマーの安定化層、を更に備えている枕。
【請求項１４】
請求項１３に記載の枕であって、前記安定化層の互いに反対側の面の空隙の間に前記安定化層を通る空気の流れを許容するために前記ゼラチン状エラストマーの前記安定化層を貫いてのびている開口、を更に備えている枕。
【請求項１５】
請求項１から請求項４の何れか一項に記載の枕であって、前記クッションの前記第２主面へ融着されている布地を更に備え、前記布地は前記クッションの前記第２主面へ熱融着されている非伸縮性布地を備えている、枕。
【請求項１６】
請求項１又は２に記載の枕であって、前記枕の厚さを増加させるために前記クッションの前記第２主面と前記枕カバーの内面の間に配置されているインサート、を更に備えている枕。
【請求項１７】
請求項１７に記載の枕において、前記インサートは、前記枕の厚さを調節するために空気で膨らまされるように及び／又は空気を抜かれるように構成されている膨張式の袋を備えている、枕。
【請求項１８】
請求項１から請求項４の何れか一項に記載の枕において、前記枕カバーは前記枕カバーの一方の主面上に配置されているジッパーを含み、前記ジッパーは全体的に前記枕カバーの前記一方の主面の周辺縁から少なくとも１インチ（２．５４ｃｍ）の距離に位置付けられている、枕。
【請求項１９】
枕を製作する方法であって、前記方法は、
基本的にゼラチン状エラストマーからなる枕クッションを形成する段階であって、当該枕クッションは、当該枕クッションを使用する人の頭及び首を支える大きさであり支えるように構成され、当該枕クッションは、
第１主面、
第２主面、及び、
前記第１主面と前記第２主面の間にのびる変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成され、前記変形可能な壁部材は、当該枕クッションのクッション性の面へ前記第１主面に垂直の方向に加えられる圧力が閾値圧力レベルを超過すると座屈するように構成される、枕クッションを形成する段階と、
前記枕クッションを枕カバーに封入する段階と、
を備えている、方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
基本的にゼラチン状エラストマーからなる枕クッションであって、当該枕クッションは、当該枕クッションを使用する人の頭及び首を支える大きさであり支えるように構成されており、当該枕クッションは、
第１主面、
第２主面、及び、
前記第１主面と前記第２主面の間にのびている変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成されており、前記変形可能な壁部材は、当該枕クッションのクッション性の面へ前記第１主面に垂直の方向に加えられる圧力が閾値圧力レベルを超過すると座屈するように構成されている、枕クッションと、
前記枕クッションを覆っている枕カバーと、
を備えている枕。
【請求項２】
請求項１に記載の枕において、前記枕クッションは、６ポンド（２．７２ｋｇ）乃至１２ポンド（５．４４ｋｇ）のゼラチン状エラストマーを備えている、枕。
【請求項３】
請求項１に記載の枕において、前記枕は前記枕クッションと前記枕カバーの間に何れの追加のクッション性材料も含んでいない、枕。
【請求項４】
請求項３に記載の枕において、前記枕は前記枕クッション及び前記枕カバーからなっている、枕。
【請求項５】
請求項１から請求項４の何れか一項に記載の枕において、枕クッションは、更に、
略平板状第１部分と、
前記第１部分と連結されている略平板状第２部分と、を更に備え、前記第１部分と前記第２部分のそれぞれは、
第１主面、
反対側の第２主面、及び、
前記第１主面と前記反対側の第２主面の間にのびている前記変形可能な壁部材の部分、を備えており、
前記略平板状第１部分内の前記変形可能な壁部材は、それらの間に画定される前記空隙が第１の平均大きさを有するように位置付けられ構成されており、前記略平板状第２部分内の前記変形可能な壁部材は、それらの間に画定される前記空隙が第２の平均大きさを有するように位置付けられ構成されており、前記第１の平均大きさは前記第２の平均大きさより小さい、枕。
【請求項６】
請求項５に記載の枕において、前記第１部分の前記変形可能な壁部材と前記第２部分の前記変形可能な壁部材は単一統合体の一部である、枕。
【請求項７】
請求項５に記載の枕において、前記第１部分内の前記変形可能な壁部材は、前記枕クッションのクッション性の面へ前記第１主面に垂直の方向に加えられる圧力が第１の閾値圧力レベルを超過すると座屈するように構成されており、前記第２部分内の前記変形可能な壁部材は、前記枕クッションのクッション性の面へ前記第１主面に垂直の方向に加えられる圧力が前記第１の閾値圧力レベルとは異なる第２の閾値圧力レベルを超過すると座屈するように構成されている、枕。
【請求項８】
請求項５に記載の枕において、前記第１部分内の前記変形可能な壁部材はそれらの間に三角形空隙の第１のセットを画定するように位置付けられ構成されており、前記第２部分内の前記変形可能な壁部材はそれらの間に三角形空隙の第２のセットを画定するように位置付けられ構成されている、枕。
【請求項９】
請求項８に記載の枕において、前記三角形空隙の第１のセットのうちの少なくとも幾つかは、前記クッションの前記第１主面に垂直の方向に前記三角形空隙の第２のセットのうちの前記三角形空隙全てと不整列である、枕。
【請求項１０】
請求項５に記載の枕において、前記第１部分は第１の厚さを有し、前記第２部分は前記第１の厚さとは異なる第２の厚さを有している、枕。
【請求項１１】
請求項１から請求項４の何れか一項に記載の枕において、前記変形可能な壁部材はそれらの間に三角形空隙を画定するように位置付けられ構成されている、枕。
【請求項１２】
請求項１から請求項４の何れか一項に記載の枕において、前記枕クッションは、前記クッションの横方向側面にて前記クッションの周辺を周って全体的にのびている前記ゼラチン状エラストマーの帯を更に備えている、枕。
【請求項１３】
請求項１から請求項４の何れか一項に記載の枕であって、前記クッションの中で前記第１主面と前記第２主面の間を前記第１主面と前記第２主面の少なくとも一方に略平行の方向に水平にのびている前記ゼラチン状エラストマーの安定化層、を更に備えている枕。
【請求項１４】
請求項１３に記載の枕であって、前記安定化層の互いに反対側の面の空隙の間に前記安定化層を通る空気の流れを許容するために前記ゼラチン状エラストマーの前記安定化層を貫いてのびている開口、を更に備えている枕。
【請求項１５】
請求項１から請求項４の何れか一項に記載の枕であって、前記クッションの前記第２主面へ融着されている布地を更に備え、前記布地は前記クッションの前記第２主面へ熱融着されている非伸縮性布地を備えている、枕。
【請求項１６】
請求項１又は２に記載の枕であって、前記枕の厚さを増加させるために前記クッションの前記第２主面と前記枕カバーの内面の間に配置されているインサート、を更に備えている枕。
【請求項１７】
請求項１６に記載の枕において、前記インサートは、前記枕の厚さを調節するために空気で膨らまされるように及び／又は空気を抜かれるように構成されている膨張式の袋を備えている、枕。
【請求項１８】
請求項１から請求項４の何れか一項に記載の枕において、前記枕カバーは前記枕カバーの一方の主面上に配置されているジッパーを含み、前記ジッパーは全体的に前記枕カバーの前記一方の主面の周辺縁から少なくとも１インチ（２．５４ｃｍ）の距離に位置付けられている、枕。
【請求項１９】
枕を製作する方法であって、前記方法は、
基本的にゼラチン状エラストマーからなる枕クッションを形成する段階であって、当該枕クッションは、当該枕クッションを使用する人の頭及び首を支える大きさであり支えるように構成され、当該枕クッションは、
第１主面、
第２主面、及び、
前記第１主面と前記第２主面の間にのびる変形可能な壁部材、を備え、前記変形可能な壁部材は、それらの間に空隙を画定して前記変形可能な壁部材の変形に際し前記変形可能な壁部材が隣接する空隙の中へ変位できるように位置付けられ構成され、前記変形可能な壁部材は、当該枕クッションのクッション性の面へ前記第１主面に垂直の方向に加えられる圧力が閾値圧力レベルを超過すると座屈するように構成される、枕クッションを形成する段階と、
前記枕クッションを枕カバーに封入する段階と、
を備えている、方法。
【外国語明細書】
2020006217000001.pdf